(57)【要約】【課題】容器蓋の開封時の前後において、ＩＣタグの情報の読取りや変更が可能であるＩＣタグ付きキャップを提供すること。【解決手段】キャップ１には、ヒンジ３０によって連結され上蓋４を半開させる第１開閉部２１と、該第１開閉部と共に全開させる第２開閉部２２とを備え、第１開閉部２１には該第１開閉部２１の半開動作に連動して移動するカッター２８を設け、該カッター２８の移動によってＩＣタグのＩＣチップから外部に引き出されたリード線３７を切断することによって、該リード線３７の切断後に生じたＩＣチップの新たな記録情報をさらに検知するようにした。【選択図】図３
2014114066.tif 000002
【特許請求の範囲】
【請求項１】
頂壁とスカート壁を有し、容器本体の開口を閉塞し容器口部の周りに被せられる容器蓋と、
前記頂壁の上面に装着され、任意の情報が記録されたＩＣタグと、
前記頂壁の上側に配設され前記ＩＣタグを覆う上蓋とを備えたＩＣタグ付きキャップにおいて、
前記上蓋は、該上蓋を半開させる第１開閉部と、該第１開閉部に連結され前記第１開閉部が開いた後に前記第１開閉部と共に前記上蓋を全開させる第２開閉部とを設け、
前記第１開閉部には該第１開閉部の半開動作に連動して移動するカッターを設け、
該カッターの移動によって切断部が前記ＩＣタグの回路を切断するようにしたことを特徴とするＩＣタグ付きキャップ。
【請求項２】
前記ＩＣタグの回路は、前記ＩＣチップから外部に引き出されたリード線を形成するとともに、該リード線を前記切断部の下方に配置し、前記ＩＣタグの回路の切断時に前記リード線を切断することによって、該リード線の切断後に変更された前記ＩＣチップの新たな記録情報をさらに検知できるようにした請求項１に記載のＩＣタグ付きキャップ。
【請求項３】
前記第１開閉部と第２開閉部とはヒンジによって連結され、前記第１開閉部のカッターは、前記第１開閉部から前記ヒンジを越えて第２開閉部側に延び、前記切断部が前記カッターの突出端から下方に突出するように形成した請求項１又は２に記載のＩＣタグ付きキャップ。
【請求項４】
前記上蓋は、前記第２開閉部と前記スカート壁とを連結する連結バンドで連結され、前記スカート壁には該連結バンドの一端を挟んで上端部から下端部にわたって形成された破断可能な一対の弱化ラインが設けられた請求項３に記載のＩＣタグ付きキャップ。
【発明の詳細な説明】
【技術分野】
【０００１】
本発明は、ＩＣタグの記録情報が変更できるＩＣタグ付きキャップに関する。
【背景技術】
【０００２】
従来、各種の製品には、製造年月日、製造・販売者名、使用期限などの製品情報を表示したバーコードが広く利用されている。ところで、バーコードは、コード化された情報をリーダーで読取るため、バーコードの印刷面を平面とする必要があり、このため、ボトルやキャップなどの包装材料の分野では、バーコードの印刷面が制限され、また、コード化できる情報量も限られたものとなってしまうという問題がある。
【０００３】
そこで、最近では、ＩＣタグを用いた情報表示の技術が利用されるようになってきた。ＩＣタグとは、ＲＦＩＤ(Radio  Frequency  Identification)とも呼ばれるものであり、所定の情報が記憶されたＩＣチップを無線アンテナとともに樹脂やガラス等の誘電体材料に埋め込んでタグ（荷札）状に形成した超小型の通信端末である。このようなＩＣタグは、無線通信により、ＩＣチップに記憶された製品情報を読取るものであり、例えばＩＣチップのメモリには、数百バイトのデーターを記録することができ、多くの製品情報を記録できるという利点がある。また、ＩＣタグは、非接触で記録された情報を読取ることができ、接触による摩耗などの問題もなく、さらには、商品の形態に併せた形状に加工したり、小型化、薄型化なども可能であるという利点がある。
【０００４】
例えば、特許文献１には、頂板にＩＣタグが埋め込まれた容器蓋が開示されている。
このようなＩＣタグを、容器の開封履歴の表示のために使用することも提案されている。また、特許文献２には、容器蓋を開封したとき、ＩＣタグ中のＩＣチップとアンテナとを結ぶリード線が断線することにより、開封を検出する方法が提案されている。特許文献３には、容器口部に装着されるキャップ本体に連結された上蓋を開封した時、オーバーキャップに設けられているアンテナ回路が切断され、これにより、開封の事実を認識できることが開示されている。
これら特許文献２及び３の何れも、ＩＣタグの回路が切断されているという事実を外部読取り装置により検知することにより、開封の事実を認識できるというものであるが、未だ解決すべき課題が残されている。
【先行技術文献】
【特許文献】
【０００５】
【特許文献１】特開２００５−３２１９３５号公報
【特許文献２】特許４０４７８２１号
【特許文献３】特開２０１１−２１３３７８号公報
【発明の概要】
【発明が解決しようとする課題】
【０００６】
すなわち、特許文献１の容器蓋は、開封前と開封後において、ＩＣタグの情報の変更ができず、特許文献２，３の容器蓋は、アンテナ又はアンテナ線を切断し、ＩＣタグを通信不能にすることによって、開封履歴の有無を検知しているが、アンテナ線の切断後は、容器の情報や製造年月日などの情報が全て、読み取り器によって検知できないという問題があった。
特に、商品の販売後、ユーザに容器が渡った後に、製品等のキャンペン情報や、懸賞の当否、あるいはキャップの回収後に、該キャップの材質などの記録が認識できれば、リサイクルの仕分けなどが可能になる。
【０００７】
本発明はこのような事情に鑑みてなされたものであって、容器蓋の開封後において、ＩＣタグの情報の読取りが可能であると共に、開封時において情報の変更が可能となるＩＣタグ付きキャップを提供することを目的とする。
【課題を解決するための手段】
【０００８】
本発明のＩＣタグ付きキャップは、上記目的を達成するために、頂壁とスカート壁を有し、容器本体の開口を閉塞し容器口部の周りに被せられる容器蓋と、前記頂壁の上面に装着され、任意の情報が記録されたＩＣタグと、前記頂壁の上側に配設され前記ＩＣタグを覆う上蓋とを備えたＩＣタグ付きキャップにおいて、前記上蓋は、該上蓋を半開させる第１開閉部と、該第１開閉部に連結され前記第１開閉部が開いた後に前記第１開閉部と共に前記上蓋を全開させる第２開閉部とを設け、前記第１開閉部には該第１開閉部の半開動作に連動して移動するカッターを設け、該カッターの移動によって切断部が前記ＩＣタグの回路を切断するようにした。
上記ＩＣタグ付きキャップの前記ＩＣタグの回路は、前記ＩＣチップから外部に引き出されたリード線を形成するとともに、該リード線を前記切断部の下方に配置し、前記ＩＣタグの回路の切断時に前記リード線を切断することによって、該リード線の切断後に変更された前記ＩＣチップの新たな記録情報をさらに検知できることが好ましい。
上記ＩＣタグ付きキャップの前記第１開閉部と第２開閉部とはヒンジによって連結され、前記第１開閉部のカッターは、前記第１開閉部から前記ヒンジを越えて第２開閉部側に延び、前記切断部が前記カッターの突出端から下方に突出するように形成することができる。
上記ＩＣタグ付きキャップの前記上蓋は、前記第２開閉部と前記スカート壁とを連結する連結バンドで連結され、前記スカート壁には該連結バンドの一端を挟んで上端部から下端部にわたって形成された破断可能な一対の弱化ラインが設けることができる。
【発明の効果】
【０００９】
本発明のＩＣタグ付きキャップは、ＩＣチップから外部に引き出したリード線を設け、前記切断部の破断時に前記リード線を切断することによって、該リード線の切断後に生じた前記ＩＣチップの新たな記録情報を、読み取り器によってさらに検知することができる。
よって、商品の購入前のみならず、購入後もＩＣタグの情報を検知できるとともに、最終ユーザに新たな情報をもたらすことができる。
【図面の簡単な説明】
【００１０】
【図１】本発明の実施形態におけるＩＣタグ付きキャップと容器口部を前方から見た斜視図である。
【図２】図１のＩＣタグ付きキャップと容器口部を後方から見た斜視図である。
【図３】図１のＩＣタグ付きキャップと容器口部の分解斜視図である。
【図４】（ａ）は、図１のＩＣタブ付きキャップが閉状態における断面図、（ｂ）は上蓋が半開状態の断面図である。
【図５】図１のＩＣタグ付きキャップの上蓋が半開している状態の斜視図（ＩＣタグを省略）である。
【図６】Ａは、図１のＩＣタグ付きキャップに装着されているＩＣタグの斜視図、ＢはＩＣタグの変形例である。
【図７】図１のＩＣタグ付きキャップのカッターがＩＣタグを切断している状態の斜視図である。
【発明を実施するための形態】
【００１１】
以下、本発明のＩＣタグ付きキャップについて図面を参照しながら説明する。
図１は、本発明の実施形態におけるＩＣタグ付きキャップと容器口部を前方から見た斜視図、図２はそれを後方から見た斜視図、図３はＩＣタグ付きキャップ、容器口部、及びＩＣタグの分解斜視図である。なお、ＩＣタグ付きキャップ１は、開放する側である係止部４６がある側（図１参照）を先（前）方側とし、連結バンド４０がある側（図２参照）を後方側とする。
ＩＣタグ付きキャップ１（以下、単にキャップともいう）は、内容物が充填される容器本体２の口部７の上部側に被せられ、該口部７の開口を閉塞する容器蓋３、さらに該容器蓋３の上に設けられている上蓋４と、任意の情報が記録されているＩＣタグ５とを備えている。
【００１２】
容器本体２は、ペットボトル、金属製ボトル、陶器、ガラスなどが使用でき、容器本体２の上方には、上部に開口６を有する円筒形の口部７が形成されている。口部７には、開口６から下方側へ間隔を有して環状で比較的幅が広く、半径方向外側へ突出する環状の凸部８が外周面に帯状に形成されている。凸部８の上側と下側には共に水平面である環状の上面８ａ及び下面８ｂ（図４）が形成されている。
【００１３】
ＩＣタグ付きキャップ１は、樹脂材料で形成される容器蓋３と上蓋４とを備えている。容器蓋３は、円板形状の頂壁１１と、頂壁１１の周部に設けられているスカート壁１２とからなる。頂壁１１には、キャップ１の前後方向に頂壁１１の中心部を通る矩形の溝１３が、容器本体２の口部７と干渉しないように形成されている。
円筒状のスカート壁１２の下部には、周方向に延びるミシン目のような破断ライン１５が形成されており、破断ライン１５よりも下方に破断ベルト１６が区画されている。破断ライン１５には、周方向に間隔をおいて複数個の橋絡部１４が形成されている。そして、破断ベルト１６の内周面側下部には、図４に示すように、容器蓋３の内周側上方へ突出した複数のフラップ１７が等間隔に形成されている。キャップ１が口部７に装着されている状態では、フラップ１７は、環状凸部８の下面８ｂに位置し、キャップ１を上方へ移動させると、フラップ１７の先端が下面８ｂに当接し、キャップ１の上方への移動を阻止する役割をする。
【００１４】
図３に示すように、上蓋４は、先（前）方側の第１開閉部２１と後方側の第２開閉部２２とを備えている。第１開閉部２１は、半円形の第１天面壁２３と該第１天面壁２３の周縁から降下する半円筒状の第１周壁２４とを有する。第１周壁２４の前端側には、係止爪２７が設けられている。第１開閉部２１の後端側、すなわち、第１開閉部２１と第２開閉部２２との間には左右のヒンジ３０が形成され、これらの第１開閉部２１と第２開閉部２２は、薄肉部で形成された左右ヒンジ３０で連結されている。第１開閉部２１はヒンジ３０を回転中心として第２開閉部に対して回動が可能である。また、第１開閉部２１の後方側には、カッター２８が設けられている。カッター２８は、第１開閉部２１の後方側からヒンジ３０の間を越えて第２開閉部２２側に突出し、カッター２８の後端側の突出端から下方に突出するようにして切断部２９が形成されている。この切断部２９が配設される箇所は、前述した溝１３が形成されている部分の上方に配置される。
カッター２８は、第１開閉部２１がヒンジ３０を回転中心として上方へ回転すると、該第１開閉部２１と連動して反対側の下方へ回転する。
【００１５】
第２開閉部２２は、半円形の第２天面壁２５と該第２天面壁２５の周縁から降下する半円筒状の第２周壁２６とを有する。第２周壁２６の前端側には、前述したカッター２８の外周形状と同一形状であって、該切断部が収容されるスリット３１が形成されている。第２周壁２６には、周方向へ延びる段部が形成され、該段部の下側に、半円弧状の肉薄部４３が形成されている。
第２周壁２６の後端側には連結バンド４０（図２，図４参照）が設けられ、連結バンド４０は、第２周壁２６とスカート壁１２とを連結することによって、上蓋４と容器本体２とを連結する。
【００１６】
容器蓋３の上端部では、頂壁１１の周囲と間隔を空けて、環状壁４５が形成され、頂壁１１と環状壁４５との間に環状溝４４が形成されている。環状溝４４の幅（半径方向の幅）及び深さは、上蓋４の第２天面壁２５の肉薄部４３の厚さと高さにほぼ等しく形成され、肉薄部４３が環状溝４４の後方側の半円環状溝内に収容（嵌合）される。
環状壁４５の前方側では、上蓋４の係止爪２７を係止する係止部４６が形成され、係止爪２７が係止部４６に引っ掛けられることによって、係止爪２７は係止される。係止部４６は、左右の環状壁４５及び下部の連結が薄肉などの弱肉部で形成され、人手によって、裂くことができる程度の強さに形成されている。
【００１７】
また、環状壁４５には、係止部４６を間に挟むようにして肉薄で円弧状の凹部４７が形成されている。凹部４７の厚さ（半径方向の厚さ）及び深さは、上蓋４の第１周壁２４の厚さと高さにほぼ等しく形成され、第１周壁２４が凹部４７内に収容（嵌合）される。したがって、上蓋４が容器蓋３に装着された状態では、スカート壁１２の外周面と第１周壁２４の面が面一な円周面を形成する（図１参照）。
ここで、注意すべきことは、環状溝４４に対する肉薄部４３の嵌合状態と、第１周壁２４に対する凹部４７の嵌合状態について、前者の環状溝４４に対する肉薄部４３の嵌合状態を、後者の第１周壁２４に対する凹部４７の嵌合状態よりも強く嵌合させる必要がある。すなわち、上蓋４が容器蓋３に装着された状態において、上蓋４を外す際に、先に第１開閉部２１がヒンジ３０を回転中心にして半開し、その後第１開閉部２１と第２開閉部２２とが共働することによって、第１及び第２開閉部２１，２２を全開させることが必要である。
図２に示すように、スカート壁１２の後方側は、連結バンド４０の下端側を挟んで、スカート壁１２の上下に一対の弱化ライン５０を形成している。弱化ライン５０は、連結バンド４０を引くことによって、弱化ライン５０を破断することができる。
【００１８】
容器蓋３の頂壁１１の上面には、図６のＡに示すフィルム状のＩＣタグ５が貼着されている。ＩＣタグ５は、円形状の厚さの薄い樹脂製のフィルム基材３３、記録媒体を有するＩＣチップ３４，ＩＣチップ３４に接続されている情報送受信用のアンテナ３５、同じくＩＣチップ３４から引き出されたリード線３７を備えている。
フィルム基材３３は、一般に熱溶着可能な熱可塑性樹脂から形成されている。このような熱可塑性樹脂は特に制限されないが、一般には、このＩＣタグ５が取付けられる容器蓋３や上蓋４を構成する樹脂基材と同様の樹脂が使用される。例えば、ポリオレフィン製のキャップ１にＩＣタグ５を設ける場合には、ポリオレフィンによりフィルム基材３３を形成するのがよい。また、ＩＣチップ３４や金属アンテナ３５がポリエチレンテレフタレート樹脂フィルムに設けられた状態で市販されているＩＣタグもあるが、このような場合には、適宜、酸変性オレフィン系樹脂などの接着剤を用いて、ポリエチレンテレフタレート樹脂フィルム基材３３の裏面にポリエチレンやポリプロピレン等のポリオレフィン樹脂層を積層させておくことが、キャップにＩＣタグを取付ける上で好ましい。
また、フィルム基材３３としては、紙を使用することもできる。
【００１９】
ＩＣチップ３４は、フリップチップ実装などにより、上記のアンテナ３５に導通するように設けられるものであり、このＩＣタグ５が取付けられる製品に関する情報が記憶されるものである。そして、上記のアンテナ３５を介しての信号の送信により、所定の情報が記憶され、またアンテナ３５を介してＩＣタグ５に記憶された情報が読取られるものである。
なお、上記のＩＣチップ３４は、一般に、ポリイミド、ビスマレイミド樹脂などの電気絶縁性の硬化樹脂等により、封止されて保護されている。さらに、紙の貼り合わせによりＩＣチップ３４を封止することもできる。
このようなＩＣチップ３４には、既に述べた通り、包装容器に充填されている内容物に関する情報（例えば生産者、製造業者、生産年月日、出荷日時など）や容器、キャンペンに関する情報などが入力されており、抵抗、電圧変化などで開封の有無などを知る情報も入力されている。このような情報の入力や出力は、高周波信号により行われ、一般に９００ＭＨｚ付近のＵＨＦ帯や１３．５６ＭＨｚの周波数帯が主として利用される。
【００２０】
ＩＣチップ３４への信号の送受信のために使用されるアンテナ３５は、使用される信号の周波数に応じた共振長さなどを有する。
また、開封検出用のリード線３７は、これが切断したときの抵抗変化によりＩＣチップ３４での電圧変化などをもたらすものであればよい。
上記のようなアンテナ３５やリード線３７は、通常、アルミニウム、銅、銀、金などの低抵抗金属の薄膜（厚みが５乃至５０μｍ程度）からなるものであり、例えば金属箔の貼り合わせやメッキ、エッチング、銀ペーストなどの導電性インキを用いての印刷により形成することができる。
【００２１】
なお、フィルム基材３３の厚みは、その表面にＩＣチップ３４を実装する作業やアンテナ３５及びリード線３７を形成するためのメッキ作業などを行い得る程度の強度を示すようなものであればよく、容器蓋３の装着形態に応じて適宜の厚みとすることができる。例えば、フィルム基材３３の裏面（ＩＣチップ等が設けられていない側の面）或いは表面の金属製アンテナが存在しない部分でのヒートシールにより容器蓋３に装着する場合には、比較的薄肉でよいが、嵌め込みなどにより容器蓋３に装着する場合には、比較的厚肉とすることが必要である。このような観点から、フィルム基材３３の厚みは、一般に、５〜１０００μｍ程度の範囲とし、この範囲内で、装着形態に応じた厚みとすることが好適である。
また、図６のＡでは、フィルム基材３３は円形状を有しているが、その取り付け形態や回路の破断位置などに応じて適当な形状を有していればよく、円形状である必要はない。
【００２２】
アンテナ３５は、ＩＣチップ３４の側部において、アンテナ３５の端部がＩＣチップ３４側に曲げられることによってＩＣチップ３４と接続されている。アンテナ３５の形状は、フィルム基材３３の外周部に沿って、内外に２重に配設され、内側ではほぼ環状であって、外側は二股に分かれた円弧形状である。そして、リード線３７はＩＣチップ３４からアンテナ３５と反対側から引き出されている。リード線３７は、上述したように、リード線３７を切断することによって、リード線３７の切断前と切断後にＩＣチップ３４内にて電気的変化が生じることによって、リード線３７が切断されたか否かを検知できる。
ＩＣタグ５は、リード線３７が、溝１３の形成された部分の上、さらに詳しくはカッター２８の切断部２９が設けられている部分の下方に配置される。よって、上蓋４の第１開閉部２１がヒンジ３０を回転軸として半開きした状態で、カッター２８の後部が下方に回転移動し、リード線３７が切断部２９によって切断される構造になっている。
【００２３】
次に、本発明のＩＣタグ付きキャップ１の作用について説明する。
ＩＣタグ５には、予め製品情報などが記録される。例えば、容器本体２の内容物である飲料の製造年月日、生産地、消費期限、開封履歴情報などの基本的な製品情報やその他、製品のキャンペン情報などを記録できる。さらには、容器が飲料や食品でない場合は、例えば、洗剤などであれば使用方法や注意書きなどが記録できる。よって、ユーザは、容器の購入前には、店頭に備えた読取り装置や、携帯電話などの読取器などで商品情報を知ることができる。
【００２４】
本実施形態では、ＩＣタグ付きキャップ１の開封後もＩＣタグ５との通信が可能であるので、開封前の情報や、開封後に新たな内容を知らせしめることができる。例えば、商品に当たりくじなどを付す場合は、製品購入前に店頭などで検知されないようにする必要がある。よって、製品を購入してからキャップの開封後に、当たりくじをユーザに知らせしめることが必要である。そのようなキャップの当たり情報などを、開封前はユーザに知られないように、記録させておく。そして、ＩＣタグ５のリード線３７が切断されたときに、ＩＣチップ３４のデーターを変更し、新たな当たり情報がＩＣタグ５から読み取れるようにすればよい。
【００２５】
ユーザがキャップ１を開封するときは、先ず、上蓋４から外す。上蓋４の離脱は、容器蓋３の係止部４６の下部を折り曲げるようにして引き裂き、係止部４６と上蓋４の係止爪２７との係合を解除する。そして、上蓋４の第１開閉部２１の先端を持ち上げる。すると、図７に示すように、第１開閉部２１はヒンジ３０を回転中心として半開きとなる。この際、第１開閉部２１の先端が上昇する一方、ヒンジ３０よりも後方にあるカッター２８の切断部２９が下降し、その下方に位置するＩＣタグ５のリード線３７が切断される。切断部２９が下降する箇所には、溝１３が形成されており、切断部２９は溝１３内に入り込むことによって、リード線３７が確実性を増して好適に切断される。このとき、切断部２９が溝１３の底部に当接することによって、てこの原理で第２開閉部２２を押し上げるようにしてもよい。
【００２６】
次いで、第１開閉部２１をさらに上方へ引っ張り上げることによって、第２開閉部２２の肉薄部４３と容器蓋３の環状溝４４の嵌合を解除し、第２開閉部２２を環状溝４４から開放することによって、上蓋４が全開される。
このとき、容器蓋３と上蓋４との係合は、連結バンド４０のみによる連結となる。ユーザは、容器蓋３を容器本体２から外すため、さらに連結バンド４０でスカート壁１２に形成されている弱化ライン５０（図２参照）を引き裂くことによって、スカート壁１２が分断される。スカート壁１２が分断されると、スカート壁１２が周方向に拡げることができ、ユーザは、容器本体２の凸部８とスカート壁１２の下部内周に形成されているフラップ１７との係合を解除することができ、キャップ１を口部７から外すことができる。
なお、弱化ライン５０を下端まで引き裂くことなく、弱化ライン５０の下端と破断ライン１５とを連結し、破断ライン１５を引き裂くようにしてもよい。
【００２７】
上述したように、容器蓋３にＩＣタグ５が貼着され、キャップ１の開栓時において、カッター２８の切断部２９によって、リード線３７を破断することができる。ＩＣチップ３４には、未だアンテナ３５が連結されているので、ユーザは、この先もＩＣチップ３４のデーターを読取ることができる。
よって、ユーザは容器（商品）の購入後に携帯電話などの読取り装置で、商品の製造年月日や消費期限を確認できる。リード線３７の切断によって、切断前と切断後におけるＩＣチップ３４の情報を変更することができるので、例えば、キャップ１の未開封情報を開封済み情報に変更することもできる。必要があれば、ユーザに対して不必要なデーターは、リード線３７の切断時に除去するようにしてもよい。
なお、リード線３７の部分でＩＣタグ５の切断を容易にするため、リード線３７の位置に対応する部分のフィルム基材３３に弱化部を形成し、リード線３７をさらに破断し易くしてもよい。
【００２８】
このように、ユーザは、開封時において容器蓋３が未だ未開封である情報を確認でき、中身の交換などのいたずらが認知され、かつ防止される。
また、ユーザは、キャップ１の開封後、詳しくは、リード線３７の切断後に、ＩＣタグ５に記録されている、当たりくじやキャンペン情報を知ることができる。
さらには、キャップ１が廃棄されて回収された後には、リサイクルにおいてキャップ１の種類や、色別情報を記録することで、識別、種類毎の自動的な仕分けなども可能となる。
このように、従来では、アンテナを断線していたので、容器蓋の開栓後は容器蓋からＩＣタグ情報を得ることができなかったが、本実施形態では、容器蓋３の開栓後にＩＣタグ情報を得ることができる。
以上、説明したように、本実施形態のＩＣタグ付きキャップ１は、容器本体２に帯状の凸部８を形成することによって、容器本体の種類にこだわることなく後付けできるので、汎用性が大きく使い勝手がよい。
【００２９】
以上、本発明を実施形態に基づいて添付図面を参照しながら詳細に説明したが、本発明は上記実施形態に限定されるものではなく、本発明の範囲を逸脱することなく、更に他の変形あるいは変更が可能である。
例えば、本実施形態では、リード線３７を切断し、オーバーキャップ４の破断後でもＩＣタグ５の情報を知るようにしたが、図６のＢに示すように、リード線３７を省略して、アンテナ３５の回路を切断しても良い。ただし、アンテナ３５の回路の破断後に、ＩＣチップの情報を読取ることはできない。また、カッター２８と溝１３の位置をアンテナ３５を切断できる位置に対応させて形成する必要がある。
【符号の説明】
【００３０】
１  ＩＣタグ付きキャップ
２  容器本体
３  容器蓋
４  上蓋
５  ＩＣタグ
７  口部
８  凸部（係止部）
８ａ  下面
１１  頂壁
１２  スカート壁
１３  溝
１４  橋絡部
１５  破断ライン
１７  フラップ（係合部）
２１  第１開閉部
２２  第２開閉部
２８  カッター
２９  切断部
３３  フィルム基材
３４  ＩＣチップ
３５  アンテナ
３７  リード線
【図１】
2014114066.tif 000003
【図２】
2014114066.tif 000004
【図３】
2014114066.tif 000005
【図４】
2014114066.tif 000006
【図５】
2014114066.tif 000007
【図６】
2014114066.tif 000008
【図７】
2014114066.tif 000009